(57)【要約】【課題】知的所有権の正当な権利者の利益を確保するための製品管理方法を提供する。【解決手段】基板上に薄膜を用いて形成されたトランジスタを集積化してなる回路を含む表示モジュールの製品管理方法であって、前記トランジスタの作製過程において、前記トランジスタを構成する薄膜のいずれか一を用いてマーキングを形成し、前記マーキングは、前記表示モジュールに関連する特定の主体を示す情報を形成していることを特徴とする製品管理方法。【選択図】　図１
2004072075.tif 000002
【特許請求の範囲】
【請求項１】
基板上に薄膜を用いて形成されたトランジスタを集積化してなる回路を含む表示モジュールの製品管理方法であって、
前記トランジスタの作製過程において、前記トランジスタを構成する薄膜のいずれか一を用いてマーキングを形成し、
前記マーキングは、前記表示モジュールに関連する特定の主体を示す情報を形成していることを特徴とする製品管理方法。
【請求項２】
基板上に薄膜を用いて形成されたトランジスタを集積化してなる回路を含む表示モジュールの製品管理方法であって、
前記トランジスタの作製過程において、前記トランジスタを構成する薄膜のいずれか一を用いてマーキングを形成し、
前記マーキングは、前記表示モジュールに関連する特定の主体を示す情報を形成しており、
前記マーキングを構成する薄膜の情報が、コンピュータに記憶されることを特徴とする製品管理方法。
【請求項３】
請求項１または請求項２において、前記特定の主体は、前記表示モジュールに係る知的所有権の権利者、製造受託者、製造委託者、製品受取者、前記回路の設計者、前記表示モジュールの製造番号からなるいずれか一、または複数であることを特徴とする製品管理方法。
【請求項４】
請求項１乃至請求項３のいずれか一において、前記表示モジュールは、液晶表示モジュールであることを特徴とする製品管理方法。
【請求項５】
請求項１乃至請求項３のいずれか一において、前記表示モジュールは、ＥＬ表示モジュールであることを特徴とする製品管理方法。
【請求項６】
基板上に薄膜を用いて形成されたトランジスタを集積化してなる回路を含む半導体集積回路の製品管理方法であって、
前記トランジスタの作製過程において、前記トランジスタを構成する薄膜のいずれか一を用いてマーキングを形成し、
前記マーキングは、前記半導体集積回路に関連する特定の主体を示す情報を形成していることを特徴とする製品管理方法。
【請求項７】
基板上に薄膜を用いて形成されたトランジスタを集積化してなる回路を含む半導体集積回路の製品管理方法であって、
前記トランジスタの作製過程において、前記トランジスタを構成する薄膜のいずれか一を用いてマーキングを形成し、
前記マーキングは、前記半導体集積回路に関連する特定の主体を示す情報を形成しており、
前記マーキングを構成する薄膜の情報が、コンピュータに記憶されることを特徴とする製品管理方法。
【請求項８】
請求項６または請求項７において、前記特定の主体は、前記半導体集積回路に係る知的所有権の権利者、製造受託者、製造委託者、製品受取者、前記回路の設計者、前記半導体集積回路の製造番号からなるいずれか一、または複数であることを特徴とする製品管理方法。
【請求項９】
請求項１乃至請求項８のいずれか一において、前記基板は、絶縁基板であることを特徴とする製品管理方法。
【請求項１０】
請求項１乃至請求項９のいずれか一において、前記マーキングは、文字、図形、記号もしくは数字又はこれらの結合からなることを特徴とする製品管理方法。
【請求項１１】
請求項１乃至請求項１０のいずれか一において、前記マーキングを構成する薄膜の一部または全部に、ある特定の元素または物質を含ませることを特徴とする製品管理方法。
【請求項１２】
請求項１乃至請求項１１のいずれか一において、前記マーキングを構成する薄膜の情報を一定期間毎に変更することを特徴とする製品管理方法。
【請求項１３】
マーキングが形成された表示モジュールを管理するためにコンピュータを、
前記マーキングを製造装置へ出力する手段、
前記表示モジュールに形成されたマーキングを記録する手段、
前記マーキングを読み取る手段、
前記記録する手段に記録されたマーキングのいずれかと、前記読み取る手段により読み取られたマーキングとが、一致するかを判断する手段、
として機能させるためのプログラム。
【請求項１４】
マーキングが形成された半導体集積回路を管理するためにコンピュータを、
前記マーキングを製造装置へ出力する手段、
前記半導体集積回路に形成されたマーキングを記録する手段、
前記マーキングを読み取る手段、
前記記録する手段に記録されたマーキングのいずれかと、前記読み取る手段により読み取られたマーキングとが、一致するかを判断する手段、
として機能させるためのプログラム。
【請求項１５】
請求項１３または請求項１４において、前記マーキングは文字、図形、記号もしくは数字又はこれらの結合からなることを特徴とするプログラム。
【請求項１６】
請求項１３乃至請求項１５のいずれか一において、前記マーキングを一定期間毎に変更させる手段により、前記マーキングの文字、図形、記号もしくは数字又はこれらの結合の選択もしくは配列、又は前記半導体膜に含ませる元素の濃度を変更させることを特徴とするプログラム。
【請求項１７】
請求項１３乃至請求項１６のいずれか一において、前記マーキングを読み取る手段として、ＳＩＭＳを用いることを特徴とするプログラム。
【請求項１８】
請求項１３乃至請求項１７のいずれか一において、前記記録する手段に記録されたマーキングのいずれかと、前記読み取る手段により読み取られたマーキングとが一致するかを判断する手段は、前記マーキングの文字、図形、記号もしくは数字又はこれらの結合の配列、及び前記元素の濃度に基づいて判断することを特徴とするプログラム。
【請求項１９】
請求項１３乃至請求項１８のいずれか一において、前記コンピュータを、前記マーキングを構成する薄膜の情報を一定期間毎に変更させる手段として機能させることを特徴とするプログラム。
【請求項２０】
表示モジュールに形成するマーキングを管理するためにコンピュータを、
前記マーキングを一定期間毎に変更させる手段、
前記変更されたマーキングを製造装置へ出力する手段、
前記表示モジュールに形成されたマーキングを記録する手段、
前記マーキングを読み取り、前記記録する手段に記録されたマーキングのいずれかと一致するかを判断する手段、
として機能させるためのプログラムを記録したコンピュータ読み取り可能な記録媒体。
【請求項２１】
半導体集積回路に形成するマーキングを管理するためにコンピュータを、
前記マーキングを一定期間毎に変更させる手段、
前記変更されたマーキングを製造装置へ出力する手段、
前記表示モジュールに形成されたマーキングを記録する手段、
前記マーキングを読み取り、前記記録する手段に記録されたマーキングのいずれかと一致するかを判断する手段、
として機能させるためのプログラムを記録したコンピュータ読み取り可能な記録媒体。
【発明の詳細な説明】
【０００１】
【発明の属する技術分野】
本発明は、知的所有権（特許権、実用新案権、意匠権、商標権、著作権及び回路配置利用権を含む。以下、同じ。）に保護された製品を管理する方法に関する。
【０００２】
【従来の技術】
近年、エレクトロニクス分野における半導体技術の発展は著しく、ごく身近な携帯用品にまでＩＣ（集積回路）やＬＳＩ（大規模集積回路）が組み込まれるようになっている。そのため、ＩＣ、ＬＳＩのみならず、これらを機能的に集積化した複合集積回路の需要が増大している。また、今後も家庭用品の電化が進むことが予想されるため、潜在需要は極めて大きなものとなっている。
【０００３】
ところがＩＣ等を利用した身近な携帯電子用品（例えば携帯電話、ＰＤＡ等）のライフサイクルは短く、２〜３年、中には１年ほどで製品の切り替えが行われることも珍しくない。ライフサイクルの短い製品の製造受託者は、製品開発の短期間化と納入期間の短期間化を強いられ、最終的に開発費を回収できない、設備投資の負担が大きい、といった負荷が増している。特に、研究開発、マスク設計及び製造のすべてを一貫して行う大手企業のような形態では、前掲の負荷をすべて自らが背負うこととなり、リスクを分散させることができなかった。
【０００４】
そこで最近ではマスク設計会社（いわゆるデザインハウス）がその設計に基づいてフォトマスクを作製し、そのフォトマスクを半導体製造受託企業（ファウンドリ）にライセンスと共に渡し、委託製造する事業形態が増えてきている。ファウンドリは、製造を専業とする企業であって、大規模な生産ラインを保有し、委託会社からの依頼に応じた製品を製造して納入することを生業とする企業である。生産ラインは、委託会社からの様々な仕様や要求に応じることができ、多品種少数生産に耐えうる製造能力を保有している点に特徴がある。
【０００５】
委託会社は、自社工場を保有しない企業、いわゆるファブレスが主であり、ファウンドリを活用することにより設備投資負担によるリスクを回避し、かつ、自社資本を研究開発に注力することができる。また、大手企業であっても、製造部分をファウンドリに委託することにより開発負担と設備投資負担を切り分け、開発費が回収できないといった問題を防ぐようなリスク回避を行っている。以上のように、各社のリスクの分散によるリスク回避及びライフサイクルの短い電子製品の需要増大への対応を狙って、ファウンドリを活用する企業が増えてきているのが事実である。
【０００６】
しかしながら、ファウンドリで製造された製品の中には、型番等の刻印がなく、製造元、委託元等の情報のない製品もある。これらは、ある委託者がどこかのファウンドリに委託して製造されたものであるが、その製造元及び委託元が特定できないのである。ここで最も問題となるのは知的所有権の問題である。即ち、ファウンドリで製造された製品に、知的所有権を侵害する製品が含まれていたとしても、権利行使すべき対象が特定できないため、正当な権利者の利益が損なわれる可能性がある。
【０００７】
【発明が解決しようとする課題】
本発明は、前掲の問題に鑑みてなされたものであり、知的所有権の正当な権利者の利益を確保することを目的とし、権利の帰属を明確に確認するための製品管理方法を提供することを課題とする。
【０００８】
なお、本発明における代表的な製品として、液晶表示モジュール、ＥＬ（エレクトロルミネッセンス）表示モジュールや、その他の表示モジュール（本明細書においては、表示パネルに端子を取り付けモジュール化したものを指すこととする。）、または、ロジックＩＣ、特定用途向けＩＣ（ＡＳＩＣ）などの半導体集積回路が挙げられる。
【０００９】
【課題を解決するための手段】
本発明は、下記の構成を含む製品管理方法である。即ち、基板上に薄膜半導体を用いて形成されたトランジスタを集積化してなる回路を含む表示モジュールまたは半導体集積回路の製品管理方法であって、前記トランジスタの作製過程において、該トランジスタを構成する薄膜のいずれか一を用いて前記表示モジュールまたは半導体集積回路に関連する特定の主体を示す情報を形成し、前記特定の主体を明確にすることを特徴とする。ここで、前記表示モジュールまたは半導体集積回路に関連する特定の主体とは、前記表示モジュールまたは半導体集積回路の製造、販売、設計その他の関連業務に関わった者を指す。これは、表示モジュールまたは半導体集積回路に係る知的所有権の帰属を明確にする目的もある。
【００１０】
また、前掲の特定の主体を示す情報の形成は、トランジスタを構成する薄膜のいずれか一を用いて文字、図形、記号もしくは数字又はこれらの結合を形成することにより達成される。即ち、文字、図形、記号もしくは数字又はこれらの結合の表示（以下、マーキングという。）により、表示モジュールまたは半導体集積回路または半導体集積回路に関連する特定の主体を明確にするのである。なお、「者」は個人だけでなく、法人または法人格を有する団体も含み、かつ、国、地方公共団体もしくは独立行政法人をも含むものとする。
【００１１】
つまり、本発明は、表示モジュールまたは半導体集積回路の構成部分として形成されるトランジスタの作製過程において、そのうち一のフォトリソグラフィ工程及びエッチング工程等を利用して薄膜パターンにより文字、図形、記号もしくは数字又はこれらの結合を形成し、これらをもって知的所有権の帰属、即ち知的所有権の権利者、知的所有権の許諾を受けた者または知的所有権に関する責任を負う者を明確にすることを特徴とするものである。
【００１２】
本発明において、文字、図形、記号もしくは数字又はこれらの結合の表示により前記表示モジュールまたは半導体集積回路に係る知的所有権の権利者を示す以外にも、表示モジュールまたは半導体集積回路の製造受託者（製造受注者）、製造委託者、製品受取者（製造された表示モジュールまたは半導体集積回路の出荷先もしくは納品先に相当する者をいう。以下、同じ。）または製品番号（型番、製品型名、モデルナンバーその他の製品を特定するために付される文字、数字、記号もしくはこれらの結合をいう。以下、同じ。）を示しても良い。また、表示モジュールまたは半導体集積回路を構成する回路の設計者（システム設計者、回路設計者及びマスク設計者を含む。以下、同じ。）もしくはマスク製造年月を示しても良い。勿論、これらを互いに併記しても良い。なお、製品受取者は、製造委託者とは限らず、製造委託者とは別の第三者が製品受取者となる場合もあり得る。
【００１３】
また、本発明は、上記知的所有権の権利者、または表示モジュールまたは半導体集積回路の製造受託者、製造委託者、製品受取者もしくは製品番号、または表示モジュールまたは半導体集積回路を構成する回路の設計者もしくはマスク製造年月の表示を、知的所有権の権利者（ライセンサー）が自ら行うだけでなく、知的所有権を権利者から許諾された被許諾者（ライセンシー）に対して義務づけることもできる。この義務づけは、権利者と被許諾者との間で取り決められる契約により生ずる。また、被許諾者が下請けの製造受託者に製造を委託する場合、その製造受託者に対して上記表示を行うよう被許諾者に対して義務づけることも可能である。
【００１４】
なお、本発明は、液晶表示モジュール、ＥＬ表示モジュールその他の電気信号による映像表示の可能な表示モジュール、またはロジックＩＣ、特定用途向けＩＣ、その他の半導体集積回路の製品管理に関する方法であるが、当該発明の構成に含まれる権利者、被許諾者、製造受託者等の「者」は、同一国に属する者のみの関係だけでなく、二国間もしくは多数国間に跨る関係を有していても本発明に含まれる。
【００１５】
なお、本発明の特徴であるマーキングの方法は、知的所有権の権利者と被許諾者および製造受託者の間で取り決めればよいが、マーキングを第３者（権利侵害者）に偽造されないような方法を用いることが好ましい。なぜなら、マーキングを第３者に偽造されて使用されてしまうと、本発明を達成することが困難だからである。
【００１６】
そこで、マーキングを知的所有権の権利者が持つ固有の技術、または技術的には公知であっても、知的所有権の権利者以外に通常実施していない技術を用いて形成することによって、本発明はさらに効果的なものとなる。また、前記固有の技術自体が知的所有権（例えば、特許権）を有しているものであれば、マーキングをする価値は、相乗効果を得ることができる。
【００１７】
また、マーキング方法を第３者に偽造されないようにするためのその他の方法として、各分野の製造業において違いはあるが、半導体分野においては、例えば基板上に薄膜を用いてマーキングをする際に工夫すればよい。より具体的な方法としては、マーキングを構成する薄膜の文字、図形、記号、もしくは数字又はこれらの結合の一部、または全部に、ある特定の元素または物質を意図的に含ませるようにすればよい。
【００１８】
そして、知的所有権の権利者は、前記マーキングを読み取る手段として、例えばＳＩＭＳを用いることを特徴とするプログラムをコンピュータに実行させる。このプログラムによってマーキングを構成する薄膜の特徴を分析し、前記読み取る手段により読み取られたマーキングが、知的所有権の権利者、被許諾者、製造受託者のうちのいずれかが管理しているマーキングと一致するかどうかを判断し、知的所有権を侵害している製品なのかどうかを見分けることができる。また、前記プログラムを使用するコンピュータによって、侵害製品の個数も一括して管理してもよい。
【００１９】
また、マーキング方法を第３者に偽造されないようにするためのその他の方法として、定期的にマーキング方法を構成する薄膜の特徴を変更するようにしてもよい。具体的な方法としては、前記マーキングを構成する薄膜の文字、図形、記号もしくは数字又はこれらの結合の選択を変更したりあるいは配列を変更すればよい。また、前述したようにマーキングを構成する薄膜の一部または全部に、ある特定の元素または物質を意図的に含ませる場合は、その濃度を変更すればよい。これらの変更手段を用いた場合、無数のマーキングの形成の方法があるので、マーキングの方法を管理するのが通常困難なものとなる。そこで、管理方法としてサーバー（コンピュータ）を用いてマーキングを構成する薄膜の変更パターンを管理することによって、正確に管理することが容易となる。ここで、サーバーを管理する者は、知的所有権の管理者であってもよいし、被許諾者（製造受託者）であってもよい。
【００２０】
また、マーキングの出力、記録、読み取り、確認に至るまでのフローを、ハードディスクなどの記録媒体中のプログラムを用いたコンピュータにより管理しても良い。
【００２１】
ここで、コンピュータを機能させるためのプログラムの例として、例えば以下のようなものが挙げられる。
【００２２】
マーキングが形成された表示モジュールを管理するためにコンピュータを、
前記マーキングを製造装置へ出力する手段、
前記表示モジュールに形成されたマーキングを記録する手段、
前記マーキングを読み取る手段、
前記記録する手段に記録されたマーキングのいずれかと、前記読み取る手段により読み取られたマーキングとが、一致するかを判断する手段、
として機能させるためのプログラムである。
【００２３】
マーキングが形成された半導体集積回路を管理するためにコンピュータを、
前記マーキングを製造装置へ出力する手段、
前記半導体集積回路に形成されたマーキングを記録する手段、
前記マーキングを読み取る手段、
前記記録する手段に記録されたマーキングのいずれかと、前記読み取る手段により読み取られたマーキングとが、一致するかを判断する手段、
として機能させるためのプログラムである。
【００２４】
そして、前述したプログラムを記録したコンピュータ読み取り可能な記録媒体の例として、例えば以下のようなものが挙げられる。
【００２５】
表示モジュールに形成するマーキングを管理するためにコンピュータを、
前記マーキングを一定期間毎に変更させる手段、
前記変更されたマーキングを製造装置へ出力する手段、
前記表示モジュールに形成されたマーキングを記録する手段、
前記マーキングを読み取り、前記記録する手段に記録されたマーキングのいずれかと一致するかを判断する手段、
として機能させるためのプログラムを記録したコンピュータ読み取り可能な記録媒体である。
【００２６】
半導体集積回路に形成するマーキングを管理するためにコンピュータを、
前記マーキングを一定期間毎に変更させる手段、
前記変更されたマーキングを製造装置へ出力する手段、
前記表示モジュールに形成されたマーキングを記録する手段、
前記マーキングを読み取り、前記記録する手段に記録されたマーキングのいずれかと一致するかを判断する手段、
として機能させるためのプログラムを記録したコンピュータ読み取り可能な記録媒体である。
【００２７】
以上のように、マーキングの出力、記録、読み取り、確認に至るまでのフローを、ハードディスクなどの記録媒体中のプログラムを用いたコンピュータにより管理することによって、第３者に偽造されることを防止することができる。
【００２８】
以下、本発明の実施の形態について、図面を参照しながら説明する。
【００２９】
【発明の実施の形態】
本発明は、表示モジュールまたは半導体集積回路の製造過程において、トランジスタ等の電子デバイスを形成する薄膜材料を、知的所有権の帰属を示す表示（マーキング）として用いることを特徴としており、回路レイアウトを損なわない部分であれば表示モジュールまたは半導体集積回路の如何なる部分に形成しても良い。
【００３０】
図１は、表示モジュールにおいて、トランジスタ等の電子デバイスが設けられた基板（アクティブマトリクス基板という。以下、同じ。）を示している。本実施の形態のアクティブマトリクス基板は、基板１０１上に画素部１０２、走査側駆動回路１０３、信号側駆動回路１０４、プリチャージ回路１０５を有するが、この構成に限定されるものではない。また、基板１０１としては、ガラス基板、プラスチック基板、石英基板、セラミックス基板、シリコン基板等を用いることができる。即ち、本発明は、いわゆるポリシリコン膜を用いたトランジスタをガラス基板上に形成する場合に実施するだけでなく、シリコン基板上にトランジスタを形成する場合においても実施可能である。
【００３１】
本発明の特徴は、基板１０１上に設けられたマーキング部１０６である。点線で囲まれた領域の拡大図において、１０６はマーキング部であり、薄膜をパターニングして文字、図形、記号もしくは数字又はこれらの結合により表示モジュールに係る権利の帰属が明らかになるように表示されている。また、１０７は、走査側駆動回路１０３及び信号側駆動回路１０４へ信号を伝送する配線群であり、１０８は、信号側駆動回路１０４の一部をなすトランジスタ群である。
【００３２】
マーキング部１０６の表示内容は、実施者が適宜決定すればよく、図１の表示内容に限定されるものではない。即ち、当該マーキング部１０６で特定したい「者」が識別できる表示であれば内容は問わない。ここでマーキング部１０６に表示される文字等は、配線群１０７やトランジスタ群１０８を構成する薄膜で形成される。その例を図２〜図４に示す。
【００３３】
図２は、トランジスタの活性層として機能する半導体膜を用いてマーキング部を形成する例であり、図２（Ａ）、（Ｂ）は、それぞれ図１のＡ−Ａ’及びＢ−Ｂ’の切断面に相当する。図２（Ａ）において、基板２０１（図１の基板１０１に相当する。）上には、下地膜２０２が設けられ、その上にトランジスタ２０３が設けられている。また、図２（Ａ）の左側には、配線群２０４が設けられている。トランジスタ２０３は、活性層となる半導体膜２０５、ゲート電極となる第１金属膜２０６及びソース電極またはドレイン電極となる第２金属膜２０７を構成に含む。これら第１金属膜２０６及び第２金属膜２０７は、配線群２０４においても配線として用いられる。図２の場合、図２（Ｂ）に示されるように、マーキング部１０６を半導体膜２０５で形成している。
【００３４】
次に、図３は、トランジスタのゲート電極となる第１金属膜を用いてマーキング部を形成する例であり、図３（Ａ）、（Ｂ）は、それぞれ図１のＡ−Ａ’及びＢ−Ｂ’の切断面に相当する。なお、図３（Ａ）の構成は、図２（Ａ）の構成と同じであるから、説明は省略する。図３の場合、図３（Ｂ）に示されるように、マーキング部１０６を第１金属膜２０６で形成している。
【００３５】
次に、図４は、トランジスタのソース電極またはドレイン電極となる第２金属膜を用いてマーキング部を形成する例であり、図４（Ａ）、（Ｂ）は、それぞれ図１のＡ−Ａ’及びＢ−Ｂ’の切断面に相当する。なお、図４（Ａ）の構成は、図２（Ａ）の構成と同じであるから、説明は省略する。図４の場合、図４（Ｂ）に示されるように、マーキング部１０６を第２金属膜２０７で形成している。
【００３６】
以上のように、マーキング部１０６に表示される文字等は、配線群１０７やトランジスタ群１０８を構成する薄膜で形成することができる。勿論、半導体膜２０５、第１金属膜２０６もしくは第２金属膜２０７を組み合わせてマーキング部１０６を形成するのであっても構わない。
【００３７】
図１８は、半導体集積回路において、トランジスタ等の電子デバイスが設けられた基板（ロジック基板という。以下、同じ。）を示している。本実施の形態のロジック基板は、基板１８０１上にＣＰＵコア１８０２、Ｉ／Ｏポート１８０３、キャッシュメモリ１８０４、キャッシュコントローラ１８０５、クロックコントローラ１８０６、フラッシュメモリ１８０７、シリアルインターフェース１８０８を有するが、この構成に限定されるものではない。また、基板１８０１としては、ガラス基板、プラスチック基板、石英基板、セラミックス基板、シリコン基板等を用いることができる。即ち、本発明は、いわゆるポリシリコン膜を用いたトランジスタをガラス基板上に形成する場合に実施するだけでなく、シリコン基板上にトランジスタを形成する場合においても実施可能である。
【００３８】
本発明の特徴は、基板１８０１上に設けられたマーキング部１８０９である。点線で囲まれた領域の拡大図において、１８０９はマーキング部であり、薄膜をパターニングして文字、図形、記号もしくは数字又はこれらの結合により半導体集積回路に関連する特定の主体の情報（半導体集積回路に係る権利の帰属を含む。）が明らかになるように表示されている。また、１８１０は、キャッシュコントローラ１８０５の一部をなすトランジスタ群である。
【００３９】
マーキング部１８０９の表示内容は、実施者が適宜決定すればよく、図１８の表示内容に限定されるものではない。即ち、当該マーキング部１８０９で特定したい「主体」が識別できる表示であれば内容は問わない。ここでマーキング部１８０９に表示される文字等は、トランジスタ群１８１０を構成する薄膜で形成される。その例を図１９〜図２１に示す。
【００４０】
図１９は、トランジスタの活性層として機能する半導体膜を用いてマーキング部を形成する例であり、図１９（Ａ）、（Ｂ）は、それぞれ図１８のＡ−Ａ’及びＢ−Ｂ’の切断面に相当する。図１９（Ａ）において、基板１９０１（図１の基板１８０１に相当する。）上には、下地膜１９０２が設けられ、その上にトランジスタ１９０３が設けられている。トランジスタ１９０３は、活性層となる半導体膜１９０４、ゲート電極となる第１金属膜１９０５及びソース電極またはドレイン電極となる第２金属膜１９０６を構成に含む。これら第１金属膜１９０５及び第２金属膜１９０６は、配線としても用いられる。図１９の場合、図１９（Ｂ）に示されるように、マーキング部１８０９を半導体膜１９０４で形成している。
【００４１】
次に、図２０は、トランジスタのゲート電極となる第１金属膜を用いてマーキング部を形成する例であり、図２０（Ａ）、（Ｂ）は、それぞれ図１８のＡ−Ａ’及びＢ−Ｂ’の切断面に相当する。なお、図２０（Ａ）の構成は、図１９（Ａ）の構成と同じであるから、説明は省略する。図２０の場合、図２０（Ｂ）に示されるように、マーキング部１８０９を第１金属膜１９０５で形成している。
【００４２】
次に、図２１は、トランジスタのソース電極またはドレイン電極となる第２金属膜を用いてマーキング部を形成する例であり、図２１（Ａ）、（Ｂ）は、それぞれ図１８のＡ−Ａ’及びＢ−Ｂ’の切断面に相当する。なお、図２１（Ａ）の構成は、図１９（Ａ）の構成と同じであるから、説明は省略する。図２１の場合、図２１（Ｂ）に示されるように、マーキング部１８０９を第２金属膜１９０６で形成している。
【００４３】
以上のように、マーキング部１８０９に表示される文字等は、トランジスタ群１８１０を構成する薄膜で形成することができる。勿論、半導体膜１９０４、第１金属膜１９０５もしくは第２金属膜１９０６を組み合わせてマーキング部１８０９を形成するのであっても構わない。
【００４４】
以上説明された本発明を実施するにあたって、マーキングを施す主体及びマーキングを施す義務を負う主体は、事業の実施の形態によって様々であるため、本発明の実施が可能な具体的な形態を以下に例示することとする。なお、本発明は、以下に示す例示に限定されるものではないことは言うまでもない。
【００４５】
〔実施の形態１〕
本実施の形態は、図５に示されるように、知的所有権の権利者が、自己の製品にマーキングを行う形態である。知的所有権の権利者は、自ら製品の製造及び販売を行い、製造された表示モジュールまたは半導体集積回路にマーキングを施す。即ち、市場に流通するマーキングのない製品はすべて自己の知的所有権を侵害するものとみなして権利行使することができる。
【００４６】
〔実施の形態２〕
本実施の形態は、図６に示されるように、知的所有権の権利者が第三者（被許諾者）へ自己の知的所有権に係る権利を許諾し、その被許諾者が、自己が販売する製品にマーキングを行う形態である。知的所有権の被許諾者は、自ら製品の製造及び販売を行い、製造された表示モジュールまたは半導体集積回路にマーキングを施す。即ち、市場に流通するマーキングのない製品は、すべて知的所有権の権利者の知的所有権を侵害するものとみなして権利行使することができる。なお、知的所有権の権利者は、被許諾者との間で取り決められる契約により被許諾者に対してマーキングの義務を負わせれば良い。
【００４７】
〔実施の形態３〕
本実施の形態は、図７に示されるように、知的所有権の権利者が第三者（被許諾者）へ自己の知的所有権に係る権利を許諾し、その被許諾者が、自己が販売する製品にマーキングを行う形態である。このとき知的所有権の被許諾者は、製造受託者へ表示モジュールまたは半導体集積回路の製造を委託し、製造受託者がその製品にマーキングを行い、さらに被許諾者（製造委託者）へ納品する。製造受託者は、ファウンドリを含む。また、この場合の製品受取者は、被許諾者である。
【００４８】
知的所有権の被許諾者は、自ら販売する製品の製造を製造受託者に委託すると共にマーキングの義務を製造受託者に負わせる。また、必要に応じて、製造受託者に対して知的所有権の権利者から当該権利の許諾を行っても良い。少なくとも知的所有権の被許諾者は、「製造受託者へマーキングを施す義務を負わせる」という義務を知的所有権の権利者から付与される。その結果、市場に流通するマーキングのない製品は、すべて知的所有権の権利者の知的所有権を侵害するものとみなして権利行使することができる。なお、知的所有権の権利者は、被許諾者との間で取り決められる契約により被許諾者に対してマーキングの義務（さらに製造受託者にマーキングの義務を負わせる義務を含む。）を負わせれば良い。
【００４９】
〔実施の形態４〕
本実施の形態は、図８に示されるように、知的所有権の権利者が第三者（被許諾者）へ自己の知的所有権に係る権利を許諾し、その被許諾者が、自己が販売する製品にマーキングを行う形態である。このとき知的所有権の被許諾者は、製造受託者へ表示モジュールまたは半導体集積回路の製造を委託し、製造受託者がその製品にマーキングを行い、さらに被許諾者（製造委託者）へ納品する。そして、納品された製品は被許諾者によってさらに加工されて販売される。製造受託者は、ファウンドリを含む。また、この場合の製品受取者は、被許諾者である。
【００５０】
知的所有権の被許諾者は、自ら販売する製品の製造を製造受託者に委託すると共にマーキングの義務を製造受託者に負わせる。また、必要に応じて、製造受託者に対して知的所有権の権利者から当該権利の許諾を行っても良い。少なくとも知的所有権の被許諾者は、「製造受託者へマーキングを施す義務を負わせる」という義務を知的所有権の権利者から付与される。その結果、市場に流通するマーキングのない製品は、すべて知的所有権の権利者の知的所有権を侵害するものとみなして権利行使することができる。なお、知的所有権の権利者は、被許諾者との間で取り決められる契約により被許諾者に対してマーキングの義務（さらに製造受託者にマーキングの義務を負わせる義務を含む。）を負わせれば良い。
【００５１】
〔実施の形態５〕
本実施の形態は、図９に示されるように、知的所有権の権利者が第三者（被許諾者Ａ）へ自己の知的所有権に係る権利を許諾し、その被許諾者Ａから製造の委託を受けた製造受託者が表示モジュールまたは半導体集積回路に対してマーキングを行う形態である。このとき知的所有権の被許諾者は、製造受託者へ表示モジュールまたは半導体集積回路の製造を委託し、製造受託者がその製品にマーキングを行い、さらに知的所有権の被許諾者Ｂへ納品する。そして、納品された製品は被許諾者Ｂによってさらに加工されて販売される。製造受託者は、ファウンドリを含む。また、この場合の製品委託者は、被許諾者Ａであり、製品受取者は、被許諾者Ｂである。
【００５２】
本実施の形態の場合、製品（表示モジュールまたは半導体集積回路）は、知的所有権の被許諾者Ａまたは知的所有権の被許諾者Ｂのいずれの名義で販売されるかを問わない。また、知的所有権の権利者は、知的所有権の被許諾者Ａまたは知的所有権の被許諾者Ｂのいずれか一方に権利許諾を行えば足りる場合もあり得る。
【００５３】
本実施の形態において、製品の製造を製造受託者に委託する知的所有権の被許諾者Ａは、マーキングの義務を製造受託者に負わせる必要がある。また、必要に応じて、製造受託者に対して知的所有権の権利者から当該権利の許諾を行っても良い。少なくとも知的所有権の被許諾者は、「製造受託者へマーキングを施す義務を負わせる」という義務を知的所有権の権利者から付与される。その結果、市場に流通するマーキングのない製品は、すべて知的所有権の権利者の知的所有権を侵害するものとみなして権利行使することができる。なお、知的所有権の権利者は、被許諾者との間で取り決められる契約により被許諾者に対してマーキングの義務（さらに製造受託者にマーキングの義務を負わせる義務を含む。）を負わせれば良い。
【００５４】
〔実施の形態６〕
本実施の形態は、図１０に示されるように、知的所有権の権利者が業としてシステム設計、回路設計もしくはマスク設計その他の回路の設計を行う者（以下、回路の設計者という。）であって、自己の製品の販売にあたって表示モジュールまたは半導体集積回路にマーキングを行う形態である。このとき回路の設計者（知的所有権の権利者）は、製造受託者へ表示モジュールまたは半導体集積回路の製造を委託し、製造受託者がその製品にマーキングを行い、さらに回路の設計者へ納品する。製造受託者は、ファウンドリを含む。また、この場合の製品受取者は、回路の設計者であり、自己の生産ラインを保有しない者（以下、ファブレスという。）が含まれる。
【００５５】
以上のような事業形態では、市場に流通するマーキングのない製品は、すべて知的所有権の権利者である回路の設計者の知的所有権を侵害するものとみなして権利行使することができる。なお、回路の設計者は、製造受託者との間で取り決められる契約により製造受託者に対してマーキングの義務を負わせれば良い。
【００５６】
〔実施の形態７〕
本実施の形態は、図１１に示されるように、知的所有権の権利者が業としてシステム設計を行う者（以下、システム設計者という。）であって、自己の製品の販売にあたって表示モジュールまたは半導体集積回路にマーキングを行う形態である。このときシステム設計者（知的所有権の権利者）は、まず業としてマスク設計を行う者（以下、マスク設計者という。）にマスク設計を委託し、納品されたマスクの設計データを製造受託者へ渡して表示モジュールまたは半導体集積回路の製造を委託し、製造受託者がその製品にマーキングを行い、さらにシステム設計者（製造委託者）へ納品する。製造受託者は、ファウンドリを含む。また、この場合の製品受取者は、システム設計者であり、ファブレスを含む。
【００５７】
以上のような事業形態では、市場に流通するマーキングのない製品は、すべて知的所有権の権利者であるシステム設計者の知的所有権を侵害するものとみなして権利行使することができる。なお、システム設計者は、製造受託者との間で取り決められる契約により製造受託者に対してマーキングの義務を負わせれば良い。
【００５８】
〔実施の形態８〕
本実施の形態は、図１２に示されるように、知的所有権の権利者が業としてシステム設計を行う者（以下、システム設計者という。）であって、自己の製品の販売にあたって表示モジュールまたは半導体集積回路にマーキングを行う形態である。このときシステム設計者（知的所有権の権利者）は、業としてマスク設計をも行う製造受託者にマスク設計から製造までを委託し、製造受託者がその製品にマーキングを行い、さらにシステム設計者（製造委託者）へ納品する。製造受託者は、ファウンドリを含む。また、この場合の製品受取者は、システム設計者であり、ファブレスを含む。
【００５９】
以上のような事業形態では、市場に流通するマーキングのない製品は、すべて知的所有権の権利者であるシステム設計者の知的所有権を侵害するものとみなして権利行使することができる。なお、システム設計者は、製造受託者との間で取り決められる契約により製造受託者に対してマーキングの義務を負わせれば良い。
【００６０】
〔実施の形態９〕
本実施の形態は、図１３に示されるように、知的所有権の権利者が出資者と共に共同出資して製造受託者を設立し、併せて当該共同出資による製造受託者に出資及び権利許諾を行い、かつ、表示モジュールまたは半導体集積回路の製造を委託するにあたって表示モジュールまたは半導体集積回路にマーキングを行う形態である。
【００６１】
知的所有権の権利者及び出資者は、ファブレスであっても自己の生産ラインを持つ者であっても良い。また、本実施の形態では、製品の販売を共同出資による製造受託者から行う例を示したが、知的所有権の権利者から販売しても出資者から販売しても良い。このとき知的所有権の権利者もしくは出資者は、製造受託者へ表示モジュールまたは半導体集積回路の製造を委託し、製造受託者がその製品にマーキングを行って販売する。製造受託者は、ファウンドリを含む。
【００６２】
以上のような事業形態では、市場に流通するマーキングのない製品は、すべて知的所有権の権利者の知的所有権を侵害するものとみなして権利行使することができる。なお、知的所有権の権利者は、共同出資による製造受託者との間で取り決められる契約により製造受託者に対してマーキングの義務を負わせれば良い。
【００６３】
〔実施の形態１０〕
本実施の形態は、図１４に示されるように、知的所有権の権利者Ａが知的所有権の権利者Ｂと共に共同出資して製造受託者を設立し、併せて当該共同出資による製造受託者に出資及び権利許諾を行い、かつ、表示モジュールまたは半導体集積回路の製造を委託するにあたって表示モジュールまたは半導体集積回路にマーキングを行う形態である。なお、知的所有権の権利者Ｂは、出資だけでなく自己の知的所有権の権利を製造受託者へ許諾しても良い。
【００６４】
知的所有権の権利者Ａ及び知的所有権の権利者Ｂは、ファブレスであっても自己の生産ラインを持つ者であっても良い。このとき知的所有権の権利者Ａもしくは知的所有権の権利者Ｂは、製造受託者へ表示モジュールまたは半導体集積回路の製造を委託し、製造受託者がその製品にマーキングを行い、知的所有権の権利者Ｂ（製造委託者）へ納品する。なお、本実施の形態では、製品の販売を知的所有権の権利者Ｂから行う例を示したが、知的所有権の権利者Ａから販売しても良いし、製造受託者から販売しても良い。製造受託者は、ファウンドリを含む。
【００６５】
以上のような事業形態では、市場に流通するマーキングのない製品は、すべて知的所有権の権利者の知的所有権を侵害するものとみなして権利行使することができる。なお、知的所有権の権利者は、共同出資による製造受託者との間で取り決められる契約により製造受託者に対してマーキングの義務を負わせれば良い。
【００６６】
〔実施の形態１１〕
本実施の形態は、図１５に示されるように、知的所有権の権利者が製造受託者と共に共同出資して製造受託者の生産ラインを立ち上げ、表示モジュールまたは半導体集積回路の製造にあたって表示モジュールまたは半導体集積回路にマーキングを行う形態である。知的所有権の権利者は、共同出資による製造受託者に出資及び権利許諾を行う。
【００６７】
知的所有権の権利者は、ファブレスであっても自己の生産ラインを持つ者であっても良い。このとき知的所有権の権利者は、共同出資による製造受託者へ表示モジュールまたは半導体集積回路の製造を委託し、製造受託者がその製品にマーキングを行い、知的所有権の権利者（製造委託者）へ納品する。なお、本実施の形態では、製品の販売を知的所有権の権利者から行う例を示したが、製造受託者から販売しても良い。製造受託者は、ファウンドリを含む。
【００６８】
以上のような事業形態では、市場に流通するマーキングのない製品は、すべて知的所有権の権利者の知的所有権を侵害するものとみなして権利行使することができる。なお、知的所有権の権利者は、共同出資による製造受託者との間で取り決められる契約により製造受託者に対してマーキングの義務を負わせれば良い。
【００６９】
〔実施の形態１２〕
本実施の形態は、本発明を実施しうる表示モジュールの一形態として、本発明をＥＬ表示モジュールに実施した例を図１６に示す。図１６（Ａ）は、製品として完成したＥＬ表示モジュールの上面図であり、図１６（Ｂ）は、その上面図をＡ−Ａ’で切断した断面図である。なお、図１６（Ａ）、（Ｂ）に示すＥＬ表示モジュールまたは半導体集積回路において、図１と同じ符号を付した部分は、図１の説明を参照すれば良い。ここでは、必要箇所に新たな符号を付して説明することとする。
【００７０】
まず、図１に示すアクティブマトリクス基板を用意する。アクティブマトリクス基板は、知的所有権の権利者、知的所有権の被許諾者もしくは製造受託者が製造する。そして、アクティブマトリクス基板の製品受取者は、画素部１０２の上に発光素子１２を設ける。発光素子とは、エレクトロルミネセンス現象による発光を得るための素子であり、正孔を注入する電極（以下、陽極という。）、発光体及び電子を注入するための電極（以下、陰極という。）で構成される。発光体は、発光層、キャリア注入層、キャリア輸送層、キャリア阻止層その他の発光に必要な有機化合物もしくは無機化合物を積層してなる積層体である。発光体の構成は、公知の如何なる構成を用いても良い。
【００７１】
即ち、知的所有権の権利者、知的所有権の被許諾者もしくは製造受託者が製造したアクティブマトリクス基板の受取者は、アクティブマトリクス基板に対してさらに製造プロセスを加え、図１６に示すＥＬ表示モジュールを完成させ、販売する。受取者が加えうる製造プロセスの具体的な例としては、発光素子１２を形成した後、第１保護膜２０として窒化シリコン膜を設け、さらに第２保護膜２１として紫外線硬化樹脂、エポキシ樹脂その他の樹脂膜を設け、その上にカバー材２２としてプラスチックフィルムを設けることが挙げられる。なお、プラスチックフィルムは、窒化シリコン膜等の無機絶縁膜で表面を覆い、水分や酸素を透過しないようにしておくことが望ましい。さらに、異方性導電膜２３を用いてＦＰＣ（フレキシブルプリントサーキット）２４を接着して外部端子とすれば良い。勿論、ここで説明した具体例はあくまで一例であり、本発明を実施しうるＥＬ表示モジュールの構成を限定するものではない。
【００７２】
以上、本実施の形態に示したＥＬ表示モジュールは、実施の形態１〜１１に示したいずれの事業形態における製造の際にも、本発明の製品管理方法を実施して個々のＥＬ表示モジュールにマーキングを施すことにより、当該ＥＬ表示モジュールに係る知的所有権の帰属が明確になり、権利行使によるロイヤリティ収入の確保等、知的所有権の正当な権利者の利益を確保することができる。
【００７３】
〔実施の形態１３〕
本実施の形態は、本発明を実施しうる表示モジュールの一形態として、本発明を液晶表示モジュールに実施した例を図１７に示す。図１７（Ａ）は、製品として完成した液晶表示モジュールの上面図であり、図１７（Ｂ）は、その上面図をＡ−Ａ’で切断した断面図である。なお、図１７（Ａ）、（Ｂ）に示すＥＬ表示モジュールにおいて、図１と同じ符号を付した部分は、図１の説明を参照すれば良い。ここでは、必要箇所に新たな符号を付して説明することとする。
【００７４】
まず、図１に示すアクティブマトリクス基板を用意する。アクティブマトリクス基板は、知的所有権の権利者、知的所有権の被許諾者もしくは製造受託者が製造する。そして、アクティブマトリクス基板の製品受取者は、少なくとも画素部１０２の上に液晶素子を設ける。液晶素子とは、液晶の光学的変調作用により光の透過または非透過を制御する素子であり、一対の電極及びその間に挟持された液晶で構成される。
【００７５】
即ち、知的所有権の権利者、知的所有権の被許諾者もしくは製造受託者が製造したアクティブマトリクス基板の受取者は、アクティブマトリクス基板に対してさらに製造プロセスを加え、図１７に示す液晶表示モジュールを完成させ、販売する。受取者が加えうる製造プロセスの具体的な例としては、アクティブマトリクス基板上に配向膜３０を設け、予め用意された対向基板３１に対向電極３２を設け、シール材３３を用いて対向基板３１とアクティブマトリクス基板を貼り合わせた後、その間に液晶３４を注入して液晶セルを形成する。さらに、異方性導電膜３５を用いてＦＰＣ（フレキシブルプリントサーキット）３６を接着して外部端子とすれば良い。勿論、ここで説明した具体例はあくまで一例であり、本発明を実施しうる液晶表示モジュールの構成を限定するものではない。
【００７６】
以上、本実施の形態に示した液晶表示モジュールは、実施の形態１〜１１に示したいずれの事業形態における製造の際にも、本発明の製品管理方法を実施して個々の液晶表示モジュールにマーキングを施すことにより、当該液晶表示モジュールに係る知的所有権の帰属が明確になり、権利行使によるロイヤリティ収入の確保等、知的所有権の正当な権利者の利益を確保することができる。
【００７７】
〔実施の形態１４〕
本実施の形態は、本発明を実施しうる半導体集積回路の一形態として、本発明をＥＬ半導体集積回路に実施した例を図２２に示す。図２２（Ａ）は、製品として完成したＥＬ半導体集積回路の上面図であり、図２２（Ｂ）は、その上面図をＡ−Ａ’で切断した断面図である。なお、図２２（Ａ）、（Ｂ）に示すＥＬ半導体集積回路において、図１８と同じ符号を付した部分は、図１８の説明を参照すれば良い。ここでは、必要箇所に新たな符号を付して説明することとする。
【００７８】
まず、図１８に示すロジック基板を用意する。ロジック基板は、知的所有権の権利者、知的所有権の被許諾者もしくは製造受託者が製造する。そして、これらロジック基板の製造者またはロジック基板の製品受取者は、ロジック基板上に第１保護膜２２２０、第２保護膜２２２１、カバー材２２２２を設け、さらに異方性導電膜２２２３を用いてＦＰＣ（フレキシブルプリントサーキット）２２２４を接着して外部端子とすれば良い。勿論、ここで説明した具体例はあくまで一例であり、本発明を実施しうるＥＬ半導体集積回路の構成を限定するものではない。
【００７９】
即ち、知的所有権の権利者、知的所有権の被許諾者もしくは製造受託者が製造したロジック基板は、最終的に図２２に示す半導体集積回路となって販売される。なお、第１保護膜２２２０としては、窒化シリコン膜等の水分や酸素に対するバリア性の高い無機絶縁膜を用いれば良い。また、第２保護膜２２２１としては、紫外線硬化樹脂、エポキシ樹脂その他の樹脂膜を設けることが好ましく、こうすることによりその上に設けるカバー材２２２２の接着剤を兼ねることもできる。第２保護膜２２２１としては、可撓性を有するプラスチックフィルムを設けたり、単にセラミック材を設けることができる。なお、プラスチックフィルムは、窒化シリコン膜等の無機絶縁膜で表面を覆い、水分や酸素を透過しないようにしておくことが望ましい。
【００８０】
以上、本実施の形態に示した半導体集積回路は、実施の形態１〜１１に示したいずれの事業形態における製造の際にも、本発明の製品管理方法を実施して個々の半導体集積回路にマーキングを施すことにより、当該半導体集積回路に係る知的所有権の帰属が明確になり、権利行使によるロイヤリティ収入の確保等、知的所有権の正当な権利者の利益を確保することができる。
【００８１】
【発明の効果】
本発明の効果は、表示モジュールまたは半導体集積回路を構成するトランジスタの作製過程において、該トランジスタを構成する薄膜のいずれか一で文字、図形、記号もしくは数字又はこれらの結合を形成し、前記文字、図形、記号もしくは数字又はこれらの結合の表示により前記表示モジュールまたは半導体集積回路に係る知的所有権の帰属を明確にすることである。即ち知的所有権の権利者、知的所有権の許諾を受けた者または知的所有権に関する責任を負う者を明確にすることである。そして、知的所有権の帰属を明確にすることにより、知的所有権の正当な権利者の利益を確保することができる。
【図面の簡単な説明】
【図１】マーキングを施したアクティブマトリクス基板を示す図。
【図２】マーキングを施したアクティブマトリクス基板を示す図。
【図３】マーキングを施したアクティブマトリクス基板を示す図。
【図４】マーキングを施したアクティブマトリクス基板を示す図。
【図５】本発明を実施しうる事業形態を示す図。
【図６】本発明を実施しうる事業形態を示す図。
【図７】本発明を実施しうる事業形態を示す図。
【図８】本発明を実施しうる事業形態を示す図。
【図９】本発明を実施しうる事業形態を示す図。
【図１０】本発明を実施しうる事業形態を示す図。
【図１１】本発明を実施しうる事業形態を示す図。
【図１２】本発明を実施しうる事業形態を示す図。
【図１３】本発明を実施しうる事業形態を示す図。
【図１４】本発明を実施しうる事業形態を示す図。
【図１５】本発明を実施しうる事業形態を示す図。
【図１６】本発明を実施したＥＬ表示モジュールを示す図。
【図１７】本発明を実施した液晶表示モジュールを示す図。
【図１８】マーキングを施したロジック基板を示す図。
【図１９】マーキングを施したロジック基板を示す図。
【図２０】マーキングを施したロジック基板を示す図。
【図２１】マーキングを施したロジック基板を示す図。
【図２２】本発明を実施した半導体集積回路を示す図。
【図１】
2004072075.tif 000003
【図２】
2004072075.tif 000004
【図３】
2004072075.tif 000005
【図４】
2004072075.tif 000006
【図５】
2004072075.tif 000007
【図６】
2004072075.tif 000008
【図７】
2004072075.tif 000009
【図８】
2004072075.tif 000010
【図９】
2004072075.tif 000011
【図１０】
2004072075.tif 000012
【図１１】
2004072075.tif 000013
【図１２】
2004072075.tif 000014
【図１３】
2004072075.tif 000015
【図１４】
2004072075.tif 000016
【図１５】
2004072075.tif 000017
【図１６】
2004072075.tif 000018
【図１７】
2004072075.tif 000019
【図１８】
2004072075.tif 000020
【図１９】
2004072075.tif 000021
【図２０】
2004072075.tif 000022
【図２１】
2004072075.tif 000023
【図２２】
2004072075.tif 000024